(57)【要約】【課題】屋内外で植木鉢などの周りを囲んで自然的趣のある装飾をするためのブロックを、運搬・設置作業を容易にし、設置する場所に応じてカーブ部分や角にも対応可能とする。【解決手段】複数個のブロック１間に、その内部に貫通するよう屈曲可能な埋込み部材２を埋め込む。或いは平ワッシャー状の繋ぎ部材６に、ブロック１に一部を埋め込んだインサート７を通して連結する。更には屈曲可能な連結部材８によって隣合うブロック１・１間を連結する。【作用】全ブロック１を埋込み部材２などによって連結しているため、運搬・設置作業が容易である。埋込み部材６や繋ぎ部材６、或いは連結部材８によってブロック１の並びを屈曲可能である。【選択図】図３
2006009264.tif 000002
【特許請求の範囲】
【請求項１】
複数個のセメント系硬化材から成るブロックを隣合わせて並べ、その隣合うブロック内に埋め込んだ屈曲可能な埋込み部材を、隣合うブロック間に貫通させて全ブロックを一体に連結し、埋込み部材を屈曲することによって全ブロックの並びを屈曲可能としてなる装飾用連結ブロック。
【請求項２】
埋込み部材として金属製棒状体を使用してなる請求項１記載の装飾用連結ブロック。
【請求項３】
埋込み部材として金網状材料を使用してなる請求項１記載装飾用連結ブロック。
【請求項４】
複数個のセメント系硬化材から成るブロックを隣合わせて並べ、隣合うブロック間には平ワッシャー状の繋ぎ部材を跨がせ、各ブロックに一部を埋め込んだインサートを繋ぎ部材に通して隣合うブロック同士を連結して全ブロックを一体化し、インサートが繋ぎ部材に対し回転可能とすることにより全ブロックの並びを屈曲可能にしてなる装飾用連結ブロック。
【請求項５】
複数個のセメント系硬化材から成るブロックを隣合わせて並べ、隣合うブロックの表面間には屈曲可能な金属製の連結部材を跨がせて沿わし、連結部材の両端を隣合うブロックに各々固定して全ブロックを一体化し、連結部材を屈曲することによって全ブロックの並びを屈曲可能としてなる装飾用連結ブロック。
【請求項６】
連結部材として、ヒンジ部材を使用してなる請求項５記載の装飾用連結ブロック。
【発明の詳細な説明】
【技術分野】
【０００１】
この発明は、疑石や疑木模様などを表面に模したインテリアやエクステリアに使用される装飾用のブロックに関するものである。
【背景技術】
【０００２】
屋内、或いは屋外で、鉢植えを置く、或いは土を耕して花壇を造るなど、室内や庭などに花や草木を置いたり、植裁するガーデニングが広く行われている。室内に鉢植えの植物を置く場合、植物を植えた植木鉢がそのまま目視できるのでは、室内の装飾として好ましくない印象を与えてしまうことがある。或いは、植木鉢の代りに、発砲スチロールの箱などを利用して、それをベランダなどに置くことも行われているが、そのような箱が露出していると、折角の草花の醸し出す自然的雰囲気を損なってしまい、やはり趣に乏しくなる。
【０００３】
このために、植木鉢や発砲スチロールの代用鉢を目視できないように、疑石模様や疑木模様をあしらったコンクリートブロックや合成樹脂製の生け垣を鉢の前に置いて隠すことが採用されている。或いは、庭に造った花壇の周りを囲む、意匠的に富むものとして、このような装飾を施したブロックなどを採用することもあった。
【０００４】
このような植木鉢などを隠すための装飾用のブロックや生け垣として様々な形状のものが採用されているが、植木鉢を丸く囲んだり、花壇を四角く囲んだりするには、長尺のブロックではなく、単体で石や樹木などを模したブロックなどを多数個使用し、これらをひとつひとつ並べて丸く、或いは四角く囲むことを行っていた。
【０００５】
しかしながら、このように多数個のブロックを並べるのはその労力が大変で、その運搬や設置作業が困難であった。しかしながら、線路の枕木などを模した長尺のブロックなどであると、直線部分に置くには便利であるが、丸く囲んだり、コーナー部分を形造ることは出来なかった。
【特許文献１】特開平１１−２４７４９３
【特許文献２】特開平１０−３７４３２
【発明の開示】
【発明が解決しようとする課題】
【０００６】
この発明が解決しようとする課題は、植木鉢や花壇の周りを囲んで装飾するブロックとして、運搬や設置作業が容易で、尚かつ丸く円弧形状にカーブを描くことや四角い角にも対応して設置可能とすることである。
【課題を解決するための手段】
【０００７】
この発明は、複数のブロックを連結して一体化し、尚かつ、隣合うブロック同士の角度が変えられるように連結して、ブロック全体の並びを屈曲可能とすることを最も主要な特徴とする。
【発明の効果】
【０００８】
この発明にかかる装飾用連結ブロックは、多数個の単体のブロックを連結して一体化したもので、運搬する場合、或る程度の長さのものを一度に運ぶことや設置が可能で、それら作業の労力が省力化される。また個々のブロックを連結する埋込み部材や繋ぎ部材や連結部材によって、隣合ったブロック同士を屈曲して全体の並びを曲げることが可能となっており、丸いカーブ部分や四角い角の部分にもそれに沿わして設置することが可能である。ブロックをセメント系硬化材によって形成しているため、単に置くだけで自重によって安定し、埋め込むなどの作業は不要である。ブロックの表面や形状は、樹木や石を模し、或いは着色することにより、室内や屋外のいずれでも、より自然的潤いのある装飾物となる。
【発明を実施するための最良の形態】
【０００９】
この発明にかかる装飾用連結ブロックは、複数個のセメント系硬化材から成るブロックを使用し、それらを一体に連結するものである。セメント系硬化材としてはモルタルやコンクリートなどが使用可能である。複数個のセメント系硬化材から成るブロックは、それぞれ樹木や石を模した表面や形状、色彩にして装飾を施したものが好適である。これらブロックを隣合わせて並べ、隣合うブロック同士を連結するものである。
【００１０】
隣合うブロックを連結する手段としては、ブロック内に屈曲可能な埋込み部材を埋設して、その埋込み部材を隣合うブロック間に貫通させる手段がある。屈曲可能な埋込み部材としては、鋼棒やステンレス鋼棒、アルミニウム板体、合成樹脂製の紐状材料、或いはエキスパンドメタルなどの金網状材料などが広く採用できる。例えば鋼棒であれば、これを埋込み部材として、横に並べたブロックに対し、串刺しするように水平方向に貫通させて、全体を一体化するものである。ブロック全体の並びを屈曲させる場合、隣合うブロック間の埋込み部材を屈曲すれば、全体の並びがカーブや角を描いて屈曲し、全ブロックの並びを所望の形状に屈曲可能となる。鋼棒などを埋込み部材として使用した場合は、ブロックからの抜け防止のために端部を屈曲しておくことが好ましいが、金網状材料の場合、単に硬化材の中に埋め込むだけで抜け落ちる心配が無い。
【００１１】
その他、隣合うブロックを連結する手段としては、平ワッシャー状の繋ぎ部材とインサートを使用する方法がある。各ブロックにピン状に頭部が大きくなったインサートを埋込み、平ワッシャー状の繋ぎ部材を隣合うブロック間に跨がせ、各ブロックに埋設したインサートを繋ぎ部材の孔に通して隣合うブロックを連結する。インサートが繋ぎ部材に対し回転可能となっていることで、全ブロックの並びを自在に屈曲可能となる。このような繋ぎ部材とインサートによる連結は、各ブロックの底面にて行い、目視し難いようにするのが好適である。
【００１２】
また、隣合うブロックの間に屈曲可能な連結部材を渡し、その連結部材の両端を隣合うブロックの表面に各々固定することにより連結することも可能である。屈曲可能な連結部材とは、鋼製やアルミニウミ製の板体であってもよく、或いは蝶番などのヒンジ部材であってもよい。ブロックへの固定には、ビスや釘を用いてもよい。全体の並びを屈曲する場合、所望の隣合うブロックの間の連結部材を屈曲すればよい。連結部材は、目視されにくいように、ブロックの背面側に取付けた方が好適である。
【実施例１】
【００１３】
図１〜図３に示すのは、連結ブロックAを木材の表面を模したブロック１を使用して形成した場合であり、複数個の直方体形状のブロックを横に五個並べ、その各ブロック１の中に、埋込み部材２として屈曲可能なステンレス鋼棒を水平に埋設して串刺し状にし、全体のブロック１を一体化したものである。隣合うブロック１・１の間には若干のクリアランスがあって、その部分に埋込み部材２が露出している。この露出した部分にて埋込み部分が屈曲可能となる。このクリアランスを大きくしなくても、埋込み部材２の周囲に空隙を設けてブロック２内に埋め込んでおけば、埋込み部材２の屈曲は可能である。各ブロックの左右両端は表裏表面側に面取り３が施されている。面取り３によって離隔したブロック１・１間の隙間は、表面側の間隔C1よりも、裏面側の間隔C２の方が幅が大きくなっている。
【００１４】
このような連結ブロックAを設置し、植木鉢４の周囲を囲む。五個のブロック１が一体化してあるため、その運搬や設置作業は容易である。隣合うブロック１・１の間の埋込み部材２を屈曲して、全体の並びを円弧形状に屈曲する。必要ならば、このような連結ブロックAを複数使用して、植木鉢の周りを囲み自然的潤いを醸し出すよう装飾する。
【実施例２】
【００１５】
図４及び図５に示すのは、樹木を模したブロック１を使用した場合であって、円柱形状のブロック５の一部に縦に円弧形状の切り欠き５が設けられている。隣合うブロック１・１をこの切り欠き５内にて接触させて横に並べ、水平に貫通する鋼棒状の埋込み部材２によって連結してある。ブロック１・１間に露出した埋込み部材２を屈曲して、所望の形状にブロック１の並びを曲げる。
【実施例３】
【００１６】
図６〜図８に示すのは、平ワッシャー状の繋ぎ部材６と、ブロック１の中に一部を埋め込んだピン状インサート７によって、連結した場合である。ブロック１は、板状に形成してあり、その高さは、自然的趣を醸し出すためにそれぞれ違えてある。ブロック１の底面の左右端には、切り欠きが形成されており、その切り欠き部分にブロック１に一部を埋め込んだピン状インサート７の頭部が突出している。このインサート７の頭部を、隣合うブロック１・１間に掛け渡した平ワッシャー状の繋ぎ部材６の端部の孔にそれぞれ通し、隣合うブロック１・１が繋がれている。繋ぎ部材６に対してインサート７を回転することにより、隣合うブロック１・１の並びを屈曲することができる。
【実施例４】
【００１７】
図９に示すのは、隣合うブロック１・１を、屈曲可能な連結部材８によって連結した場合である。屈曲可能な連結部材８としては、アルミニウム製の板体が使用されており、この連結部材８が隣合うブロック１・１の背面間に渡されて、その両端が隣合うブロック１・１にビスによって固定されている。隣合うブロック１・１の角度を所望の角度にするため、連結部材８を屈曲して全体の並びを屈曲させることができる。
【図面の簡単な説明】
【００１８】
【図１】連結ブロックの実施例１の斜視図である。
【図２】実施例１の平面図である。
【図３】実施例１の使用した状態の説明図である。
【図４】連結ブロックの実施例２の斜視図である。
【図５】実施例２使用状態の説明図である。
【図６】連結ブロックの実施例３の正面図である。
【図７】実施例３の使用状態を示す平面図である。
【図８】実施例３の一部拡大正面図である。
【図９】連結ブロックの実施例４の背面図である。
【符号の説明】
【００１９】
Ａ  連結ブロック
１  ブロック
２  埋込み部材
３  面取り
４  植木鉢
５  切り欠き
６  繋ぎ部材
７  インサート
８  連結部材
【図１】
2006009264.tif 000003
【図２】
2006009264.tif 000004
【図３】
2006009264.tif 000005
【図４】
2006009264.tif 000006
【図５】
2006009264.tif 000007
【図６】
2006009264.tif 000008
【図７】
2006009264.tif 000009
【図８】
2006009264.tif 000010
【図９】
2006009264.tif 000011